(57)【要約】【課題】布団との隙間から温風漏れを起こすことなく、効率よく布団乾燥ができる布団乾燥マットを提供する。【解決手段】非通気シート５の片面にロ字状に形成された非通気シート６を接合して構成された風路７を有し、その風路７内に温風が送り込まれると風路７がロ字状に膨らんで布団を乾燥する布団乾燥マットにおいて、ロ字状の非通気シート６の内周縁の各角部にそれぞれ吹出口９が設けられ、各吹出口９は、互いに対向する角部で温風の吹き出し方向が逆方向になるように配置されている。【選択図】図１
2014004266.tif 000002
【特許請求の範囲】
【請求項１】
非通気シートの片面にロ字状に形成された非通気シートを接合して構成された風路を有し、前記風路内に温風が送り込まれると前記風路がロ字状に膨らんで布団を乾燥する布団乾燥マットにおいて、
前記ロ字状の非通気シートの内周縁の各角部にそれぞれ吹出口が設けられ、
前記吹出口は、互いに対向する角部で温風の吹き出し方向が逆方向になるように配置されていることを特徴とする布団乾燥マット。
【請求項２】
前記吹出口の開口は、前記ロ字状の非通気シートの長辺側に設けられた吹出口よりも当該非通気シートの短辺側に設けられた吹出口の方が大きく形成されていることを特徴とする請求項１記載の布団乾燥マット。
【請求項３】
前記吹出口は、前記ロ字状の非通気シートの内周縁側であって、当該ロ字状の非通気シートの各幅の半分より短い位置に設けられていることを特徴とする請求項１又は２記載の布団乾燥マット。
【請求項４】
前記吹出口のうち開口の小さい吹出口の近傍にホース差込口を設けたことを特徴とする請求項２又は３記載の布団乾燥マット。
【請求項５】
請求項４に記載の布団乾燥マットと、
前記布団乾燥マットに設けられたホース差込口に着脱自在に差し込まれるホースと、
室内空気を送風機で吸引し、ヒーターで加熱して前記ホースから温風を吹き出す乾燥機本体と
を備えたことを特徴とする布団乾燥機。
【発明の詳細な説明】
【技術分野】
【０００１】
本発明は、布団等を乾燥するための布団乾燥マット及び布団乾燥マットを備えた布団乾燥機に関するものである。
【背景技術】
【０００２】
従来の布団乾燥マットとして、略長方形の非通気シートの片面に、ロ字状の非通気シートを縫い合わせてロ字状の風路を構成したものがある。略長方形の非通気シートとロ字状の非通気シートの接合部の外周縁にはホース差込口が設けられ、その接合部の内周縁には温風を吹き出す吹出口が設けられている。布団乾燥機本体からの温風は、ホースを介して布団乾燥マット内に送り込まれ、前述の吹出口から温風を吹き出して布団に浸透させ、この温風の熱で布団を乾燥させるようになっている（例えば、特許文献１参照）。
【先行技術文献】
【特許文献】
【０００３】
【特許文献１】特開２００４−１４１４５８号公報（図１）
【発明の概要】
【発明が解決しようとする課題】
【０００４】
前述した従来の布団乾燥マットは、吹出口が一カ所だけであるため、吹き出された温風が、吹出口に対向する風路の近傍に移動するにしたがい温度が下がり、ロ字状の風路で囲まれて形成された凹みの上の敷き布団の温度ムラと乾燥ムラが発生する。
また、その乾燥ムラを防ぐために、吹出口から吹き出される温風の風速を高めると、吹出口に対向する風路と敷き布団との間から温風漏れが発生して、敷き布団の乾燥が非効率的になるため、温度ムラと風速の調整に労力が必要であった。
【０００５】
本発明は、前述のような課題を解決するためになされたもので、布団との隙間から温風漏れを起こすことなく、効率よく布団乾燥ができる布団乾燥マット及び布団乾燥機を提供することを目的とする。
【課題を解決するための手段】
【０００６】
本発明に係る布団乾燥マットは、非通気シートの片面にロ字状に形成された非通気シートを接合して構成された風路を有し、その風路内に温風が送り込まれると風路がロ字状に膨らんで布団を乾燥する布団乾燥マットにおいて、ロ字状の非通気シートの内周縁の各角部にそれぞれ吹出口が設けられ、吹出口は、互いに対向する角部で温風の吹き出し方向が逆方向になるように配置されている。
【発明の効果】
【０００７】
本発明においては、風路内に温風が送り込まれると風路がロ字状に膨らむと共に、各吹出口から温風が吹き出し、ロ字状の風路により形成される凹部内を旋回する。その温風の旋回により、布団と凹部とで形成される空間内をまんべんなく均一に温度を上げることができ、同時に布団に浸透して内部を乾燥させることができ、効率良く布団を乾燥することが可能になる。
また、布団を短時間で乾燥させるためにロ字状の風路で形成された凹部内に勢いよく温風を吹出しても布団乾燥マットと布団の隙間から温風漏れを起こすことなく、効率的に布団乾燥を行うことができる。
【図面の簡単な説明】
【０００８】
【図１】実施の形態１に係る布団乾燥マットを裏面から見て示す平面図。
【図２】図１の布団乾燥マットをＡ−Ａ方向から見て示す断面図。
【図３】図１の布団乾燥マットに設けられた吹出口の位置及び大きさの関係を示す平面図。
【図４】実施の形態１に係る布団乾燥マットの使用例を示す図。
【図５】図１の布団乾燥マットにおける温風の流れを示す平面図。
【図６】実施の形態２に係る布団乾燥マットに設けられた吹出口の位置及び大きさの関係を示す平面図。
【図７】実施の形態２に係る布団乾燥マットの使用例を示す図。
【発明を実施するための形態】
【０００９】
実施の形態１．
図１は実施の形態１に係る布団乾燥マットを裏面から見て示す平面図、図２は図１の布団乾燥マットをＡ−Ａ方向から見て示す断面図、図３は図１の布団乾燥マットに設けられた吹出口の位置及び大きさの関係を示す平面図である。
【００１０】
実施の形態１の布団乾燥マット４は、例えば図１に示すように、略長方形状に形成された非通気シート５と、非通気シート５の片面に設けられ、略長方形状に形成されたロ字状の非通気シート６と、そのロ字状の非通気シート６に設けられたホース差込口８とで構成されている。この布団乾燥マット４は、後述する乾燥機本体１からの温風がホース差込口８から吹き込まれると、図２に示すように、２枚の非通気シート５、６により構成された風路７がロ字状に、かつ円弧状に膨らむ。
【００１１】
風路７は、前述したようにロ字状の非通気シート６を非通気シート５の片面に重ね合わせて、そのロ字状の非通気シート６の内周縁と外周縁とを非通気シート５に接合して構成されている。ロ字状の非通気シート６の内周縁の各角部には、それぞれ吹出口９（９ａ、９ｂ、９ｃ、９ｄ）が設けられている。これらの吹出口９は、略長方形の非通気シート５とロ字状の非通気シート６の未接合により形成されている。
【００１２】
各吹出口９は、図３に示すように、互いに対向する角部に温風の吹き出し方向が逆方向になるように配置されている。即ち、吹出口９ａ、９ｃは、互いに対向する角部の長辺側の内周縁に設けられ、吹出口９ｂ、９ｄは、互いに対向する角部の短辺側の内周縁に設けられている。吹出口９ａ、９ｃの開口幅Ｗ１、Ｗ２は、吹出口９ｂ、９ｄの開口幅Ｚ１、Ｚ２よりも小さくなっている。これにより、非通気シート５と温風により膨らんだロ字状の風路７とで形成される略長方形状の凹部Ａ内には、温風の直進する距離の長い吹出口９ｂ、９ｄからの風量が温風の直進する距離の短い吹出口９ａ、９ｃからの風量よりも多く吹き出される。
【００１３】
ホース差込口８は、図３に示すように、ロ字状の非通気シート６のうち、吹出口９ａに近い外周縁の角部の近傍に設けられている。即ち、ホース差込口８を吹出口９ｄよりも近い吹出口９ａ側に設けている（Ｘ＜Ｙ）。その位置にホース差込口８を設けるのは、ホース差込口８から風路７内に送り込まれた温風の多くが吹出口９ｄ側の風路７内よりも吹出口９ａ側の風路７内を直進するようにするためである。このホース差込口８は、乾燥機本体１のホース２が着脱自在に差し込まれる。このホース２は、ホース差込口８に差し込まれた後、例えばマジックテープ（登録商標）などによって密閉された状態で、そのホース差込口８に固定される。
【００１４】
前述の乾燥機本体１は、内部にヒーター及び送風機を備え、室内空気を送風機により吸引し、その空気をヒーターにより加熱して温風にし、ホース２の先端に設けられた吐出口３から吹き出す。
【００１５】
次に、実施の形態１の布団乾燥マット４で布団を乾燥する場合の温風の流れについて、図４及び図５を用いて説明する。
図４は実施の形態１に係る布団乾燥マットの使用例を示す図、図５は図１の布団乾燥マットにおける温風の流れを示す平面図である。
【００１６】
布団乾燥マット４を用いて布団を乾燥する場合、図４に示すように、敷き布団１０１の上に布団乾燥マット４のロ字状の非通気シート６を対向させて敷き、その上に掛け布団１０２を掛ける。次に、乾燥機本体１のホース２を布団乾燥マット４のホース差込口８に差し込んで固定する。
【００１７】
この状態で乾燥機本体１を運転すると、乾燥機本体１により温風が発生し、その温風はホース２を介して吐出口３から非通気シート５とロ字状の非通気シート６との間の風路７に送り込まれる。その風路７に送り込まれた温風は、吹出口９ａ側の風路７と吹出口９ｄ側の風路７へと二方に分離して流れる。なお、この場合、ホース２の吐出口３の向きが吹出口９ａ側の風路７に向いているため、温風は吹出口９ａ側の風路７に多く流れ、ロ字状の風路７を膨らませて、掛け布団１０２を敷き布団１０１から浮かせる（図４参照）。温風により風路７が膨らむ際、ロ字状の風路７で形成された凹部Ａと敷き布団１０１とにより形成される空間内に、各吹出口９から温風が吹き出す。
【００１８】
各吹出口９から前記空間内に吹き出された温風は、図５に示すように、隣接する風路７に沿って流れ、各吹出口９から吹き出される温風によって流れ方向が変わり、反時計方向に旋回する。温風の旋回により、前述した空間内をまんべんなく均一に温度が上がり、同時に敷き布団１０１に浸透して敷き布団１０１の内部を乾燥させる。
【００１９】
さらに、布団乾燥の時間を短縮させるために風量を増やした場合は、各吹出口９から吹き出される温風の量が増加する。その場合、吹出口９ａ、９ｃから吹き出る温風は直進するが、吹出口９ｂ、９ｄから吹き出る温風がエアーカーテンとなって向きが変わり、また、吹出口９ｂ、９ｄから吹き出る温風も直進するが、吹出口９ａ、９ｃから吹き出る温風がエアーカーテンとなって向きが変わる。そのため、布団乾燥マット４と敷き布団１０１の隙間から温風が漏れることなく旋回し、布団乾燥用マット４から吹き出された温風は全て敷き布団に浸透する。
【００２０】
以上のように実施の形態１によれば、ロ字状の風路７の内周縁に形成された各角部のうち互いに対向する角部に、各吹出口９の吹き出し方向が逆方向となるように配置しているので、布団乾燥の際には、ロ字状の風路７で形成された凹部Ａと敷き布団１０１とで形成される空間内に吹き出された温風は旋回する。その温風の旋回により、前述した空間内をまんべんなく均一に温度を上げることができ、同時に敷き布団１０１に浸透して敷き布団１０１の内部を乾燥させることができ、効率良く布団を乾燥することが可能になる。
【００２１】
また、ホース差込口８の最も近い角部に開口の小さい吹出口９ａを設けているので、乾燥機本体１から吹き出された温風が風路７内を循環することができ、そのため、風路７内の圧力が均一となり、重い掛け布団１０２でも十分に持ち上げることができる。
【００２２】
実施の形態１では、前述の空間内の温風が反時計方向に旋回するように、各角部に吹出口９を設けたが、空間内の温風が時計方向に旋回するように、各角部に吹出口９を設けるようにしても良い。
【００２３】
実施の形態２．
図６は実施の形態２に係る布団乾燥マットに設けられた吹出口の位置及び大きさの関係を示す平面図である。
実施の形態２における布団乾燥マットの吹出口９（９ａ、９ｂ、９ｃ、９ｄ）は、図６に示すように、ロ字状の非通気シート６に各角部の近傍に切り込みを入れて形成されている。各吹出口９は、ロ字状の非通気シート６の内周縁からＭ１、Ｍ２、Ｍ３、Ｍ４の位置にそれぞれ設けられている。なお、Ｍ１、Ｍ２、Ｍ３、Ｍ４は同じ距離である。
【００２４】
吹出口９ａの位置Ｍ２は、風路７の幅Ｌ１の１／２よりも短い距離に位置し、吹出口９ｂの位置Ｍ３は、風路７の幅Ｌ３の１／２よりも短い距離に位置し、吹出口９ｃの位置Ｍ４は、風路７の幅Ｌ４の１／２よりも短い距離に位置し、吹出口９ｄの位置Ｍ１は、風路７の幅Ｌ１の１／２よりも短い距離に位置する。各吹出口９は、実施の形態１と同様に、互いに対向する角部の近傍に吹き出し方向が逆方向になるように配置されている。
【００２５】
次に、実施の形態１の布団乾燥マット４で布団を乾燥する場合の温風の流れについて、図７を用いて説明する。
図７は実施の形態２に係る布団乾燥マットの使用例を示す図である。
【００２６】
乾燥機本体１のホース２を布団乾燥マット４のホース差込口８に差し込んで固定し、その状態で乾燥機本体１を運転すると、乾燥機本体１により温風が発生し、その温風はホース２を介して吐出口３から非通気シート５とロ字状の非通気シート６との間の風路７に送り込まれる。その風路７に送り込まれた温風は、吹出口９ａ側の風路７と吹出口９ｄ側の風路７へと二方に分離して流れる。なお、この場合もホース２の吐出口３の向きが吹出口９ａ側の風路７に向いているため、温風は吹出口９ａ側の風路７に多く流れ、ロ字状の風路７を膨らませて、掛け布団１０２を敷き布団１０１から浮かせる（図７参照）。温風により風路７が膨らむ際、ロ字状の風路７で形成された凹部Ａと敷き布団１０１とにより形成される空間内に、各吹出口９から温風が吹き出す。
【００２７】
各吹出口９から前記空間内に吹き出された温風は、図７に示すように、実施の形態１より敷き布団１０１の表面に近いところで、隣接する風路７に沿って流れ、各吹出口９から吹き出される温風によって流れ方向が変わり、反時計方向に旋回する。温風の旋回により、前述した空間内をまんべんなく均一に温度が上がり、同時に敷き布団１０１に浸透して敷き布団１０１の内部を乾燥させる。
【００２８】
さらに、実施の形態１と同様に、布団乾燥の時間を短縮させるために風量を増やした場合は、各吹出口９から吹き出される温風の量が増加する。その場合、吹出口９ａ、９ｃから吹き出る温風は直進するが、吹出口９ｂ、９ｄから吹き出る温風がエアーカーテンとなって向きが変わり、また、吹出口９ｂ、９ｄから吹き出る温風も直進するが、吹出口９ａ、９ｃから吹き出る温風がエアーカーテンとなって向きが変わる。そのため、布団乾燥マット４と敷き布団１０１の隙間から温風が漏れることなく旋回し、布団乾燥用マット４から吹き出された温風は全て敷き布団に浸透する。
【００２９】
以上のように実施の形態２によれば、ロ字状の風路７の内周縁に形成された各角部のうち互いに対向する角部の近傍に、各吹出口９の吹き出し方向が逆方向となるように配置しているので、布団乾燥の際には、ロ字状の風路７で形成された凹部Ａと敷き布団１０１とで形成される空間内に吹き出された温風は旋回する。その温風の旋回により、実施の形態１より早く空間内をまんべんなく均一に温度を上げることができ、より効率良く布団を乾燥することが可能になる。
【００３０】
また、ホース差込口８の最も近い角部の近傍に開口の小さい吹出口９ａを設けているので、乾燥機本体１から吹き出された温風が風路７内を循環することができ、そのため、風路７内の圧力が均一となり、重い掛け布団１０２でも十分に持ち上げることができる。
【００３１】
実施の形態２では、前述の空間内の温風が反時計方向に旋回するように、各角部の近傍に吹出口９を設けたが、空間内の温風が時計方向に旋回するように、各角部の近傍に吹出口９を設けるようにしても良い。
【符号の説明】
【００３２】
１  乾燥機本体、２  ホース、３  吐出口、４  布団乾燥マット、５  略長方形状の非通気シート、６  ロ字状の非通気シート、７  風路、８  ホース差込口、９  吹出口、１０１  敷き布団、１０２  掛け布団、Ａ  凹部。
【図１】
2014004266.tif 000003
【図２】
2014004266.tif 000004
【図３】
2014004266.tif 000005
【図４】
2014004266.tif 000006
【図５】
2014004266.tif 000007
【図６】
2014004266.tif 000008
【図７】
2014004266.tif 000009